【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
省電力状態を有する情報処理装置であって、
接続される機器と通信を行う通信処理手段と、
前記機器から通信があった場合に前記機器に対して応答する応答手段と、
前記機器と接続されるべき接続先として、前記通信処理手段又は前記応答手段を切り替える切替手段と、
前記通信処理手段と前記応答手段とに電力を供給する電力供給手段と、
前記情報処理装置が前記省電力状態に移行する場合、前記通信処理手段への電力供給が停止され且つ前記応答手段に電力が供給されるように前記電力供給手段を制御するとともに、前記機器と前記応答手段とが接続されるように前記切替手段を制御する制御手段と、を備え、
前記省電力状態のときに前記機器からの通信があった場合、前記応答手段は、前記機器からの通信に対して前記機器に対して再度通信するよう応答し、前記制御手段は、前記通信処理手段に電力が供給されるように前記電力供給手段を制御すると共に前記機器と前記通信処理手段とが接続されるように前記切替手段を制御することを特徴とする情報処理装置。
【請求項２】
前記制御手段は、前記通信処理手段が復帰した後、前記機器と前記通信処理手段とが接続されるように前記スイッチ手段を制御する、ことを特徴とする請求項１に記載の情報処理装置。
【請求項３】
前記応答手段は、前記応答として、前記機器から送信されたデータを正常に受信できなかったことを示す情報を前記機器に返信することを特徴とする請求項１乃至２のいずれか１項に記載の情報処理装置。
【請求項４】
前記応答手段は、前記応答として、ＮＡＣＫを前記機器に返信することを特徴とする請求項３に記載の情報処理装置。
【請求項５】
前記応答手段は、前記通信処理手段より消費電力が小さいことを特徴とする請求項１乃至４のいずれか１項に記載の情報処理装置。
【請求項６】
省電力状態を有し、接続される機器と通信を行う通信処理手段と、前記機器から通信があった場合に前記機器に対して応答する応答手段と、前記機器と接続されるべき接続先として、前記通信処理手段又は前記応答手段を切り替える切替手段と、前記通信処理手段と前記応答手段とに電力を供給する電力供給手段と、前記情報処理装置が前記省電力状態に移行する場合、前記通信処理手段への電力供給が停止され且つ前記応答手段に電力が供給されるように前記電力供給手段を制御するとともに、前記機器と前記応答手段とが接続されるように前記切替手段を制御する制御手段と、を備える情報処理装置の制御方法であって、
前記省電力状態のときに前記機器からの通信があった場合、前記応答手段が、前記機器からの通信に対して前記機器に対して再度通信するよう応答する応答ステップと、
前記制御手段が、前記通信処理手段に電力が供給されるように前記電力供給手段を制御すると共に前記機器と前記通信処理手段とが接続されるように前記切替手段を制御するステップとを、
有することを特徴とする情報処理装置の制御方法。
【請求項７】
省電力状態を有し、接続される機器と通信を行う通信処理手段と、前記機器から通信があった場合に前記機器に対して応答する応答手段と、前記機器と接続されるべき接続先として、前記通信処理手段又は前記応答手段を切り替える切替手段と、前記通信処理手段と前記応答手段とに電力を供給する電力供給手段と、前記情報処理装置が前記省電力状態に移行する場合、前記通信処理手段への電力供給が停止され且つ前記応答手段に電力が供給されるように前記電力供給手段を制御するとともに、前記機器と前記応答手段とが接続されるように前記切替手段を制御する制御手段と、を備える情報処理装置に設けられたコンピュータを、
前記省電力状態のときに前記機器からの通信があった場合、前記機器からの通信に対して前記機器に対して再度通信するよう応答する前記応答手段と、前記通信処理手段に電力が供給されるように前記電力供給手段を制御すると共に前記機器と前記通信処理手段とが接続されるように前記切替手段を制御する前記制御手段として機能させるためのプログラム。
【請求項８】
省電力状態を有し、接続される機器と通信を行う通信処理手段と、前記機器から通信があった場合に前記機器に対して応答する応答手段と、前記機器と接続されるべき接続先として、前記通信処理手段又は前記応答手段を切り替える切替手段と、前記通信処理手段と前記応答手段とに電力を供給する電力供給手段と、前記情報処理装置が前記省電力状態に移行する場合、前記通信処理手段への電力供給が停止され且つ前記応答手段に電力が供給されるように前記電力供給手段を制御するとともに、前記機器と前記応答手段とが接続されるように前記切替手段を制御する制御手段と、を備える情報処理装置に設けられたコンピュータを、
前記省電力状態のときに前記機器からの通信があった場合、前記機器からの通信に対して前記機器に対して再度通信するよう応答する前記応答手段と、前記通信処理手段に電力が供給されるように前記電力供給手段を制御すると共に前記機器と前記通信処理手段とが接続されるように前記切替手段を制御する前記制御手段として機能させるためのプログラムを記録したコンピュータが読み取り可能な記録媒体。
【手続補正２】
【補正対象書類名】明細書
【補正対象項目名】発明の名称
【補正方法】変更
【補正の内容】
【発明の名称】情報処理装置、情報処理装置の制御方法、プログラム、及び記録媒体
【手続補正３】
【補正対象書類名】明細書
【補正対象項目名】０００１
【補正方法】変更
【補正の内容】
【０００１】
本発明は、情報処理装置、情報処理装置の制御方法、プログラム、及び記録媒体に関す
る。
【手続補正４】
【補正対象書類名】明細書
【補正対象項目名】００１１
【補正方法】変更
【補正の内容】
【００１１】
本発明は、省電力状態を有する情報処理装置であって、接続される機器と通信を行う通信処理手段と、前記機器から通信があった場合に前記機器に対して応答する応答手段と、前記機器と接続されるべき接続先として、前記通信処理手段又は前記応答手段を切り替える切替手段と、前記通信処理手段と前記応答手段とに電力を供給する電力供給手段と、前記情報処理装置が前記省電力状態に移行する場合、前記通信処理手段への電力供給が停止され且つ前記応答手段に電力が供給されるように前記電力供給手段を制御するとともに、前記機器と前記応答手段とが接続されるように前記切替手段を制御する制御手段と、を備え、前記省電力状態のときに前記機器からの通信があった場合、前記応答手段は、前記機器からの通信に対して前記機器に対して再度通信するよう応答し、前記制御手段は、前記通信処理手段に電力が供給されるように前記電力供給手段を制御すると共に前記機器と前記通信処理手段とが接続されるように前記切替手段を制御することを特徴とする。
【手続補正５】
【補正対象書類名】明細書
【補正対象項目名】００５１
【補正方法】変更
【補正の内容】
【００５１】
そして、割込み信号１１３から「１」が入力された（即ち、ワンチップマイコン１０８からＵＳＢホスト１５に対してＮＡＣＫパケットが出力された）と判定した場合（Ｓ２０６でＹｅｓ）、制御部１０７は、ＣＰＵ１０１をスリープ状態から復帰させる。そのため、制御部１０７は、Ｓ２０７において、電源制御信号１１１を出力して電源ユニット１６に対して電源系統Ａの電力の供給を開始するように制御する。